(57)【特許請求の範囲】
【請求項１】
１個の入力ポート及び複数の出力ポートを有する分岐スイッチと、
１個の出力ポート及び複数の入力ポートを有する合流スイッチと、
論理的制御機能部と、
物理的制御機能部と、
を備える光サブシステムであって、
前記論理的制御機能部は、
前記論理制御機能部に光パス設定要求があったときに、前記分岐スイッチ及び前記合流スイッチの接続に関する接続状態遷移図を参照して前記光パス設定要求の可否を判定し、
光パス設定が可能な場合、前記光パス設定要求を前記物理制御機能部に送信し、
前記物理制御機能部は、
前記論理的制御機能部から前記光パス設定要求を受信すると、前記分岐スイッチの前記入力ポート及び前記出力ポートと前記合流スイッチの前記出力ポート及び前記入力ポートとの間で接続可能な組合せを記載した論理情報テーブル、及び前記分岐スイッチと前記合流スイッチの物理的情報を記載した物理情報テーブルを参照して前記光パス設定要求に物理構成変換を施し、前記分岐スイッチ及び前記合流スイッチのスイッチ設定の可否を判定し、
前記スイッチ設定が可能な場合、前記スイッチ設定を前記分岐スイッチ及び前記合流スイッチのドライバに送信して前記分岐スイッチ及び前記合流スイッチを駆動する
ことを特徴とする光サブシステム。
【請求項２】
１個の入力ポート及び複数の出力ポートを有する分岐スイッチと、
１個の出力ポート及び複数の入力ポートを有する合流スイッチと、
論理的制御機能部と、
物理的制御機能部と、
前記分岐スイッチの前記入力ポート、前記分岐スイッチの少なくともＭ個の前記出力ポート、前記合流スイッチの前記出力ポート、及び前記合流スイッチの少なくともＭ個の前記入力ポートのそれぞれに配置された光レベルモニタと、
を備える光サブシステムであって、
前記論理的制御機能部は、
光信号レベルモニタ要求があったときに、前記分岐スイッチ及び前記合流スイッチの接続に関する接続状態遷移図及び前記光信号レベルモニタ要求の光信号レベルモニタ点の光レベル状態遷移図を参照して前記光信号レベルモニタ要求の可否を判定し、
光信号レベルモニタが可能な場合、前記光信号レベルモニタ要求を前記物理制御機能部に送信し、
前記物理制御機能部は、
前記論理的制御機能部から前記光信号レベルモニタ要求を受信すると、前記分岐スイッチの前記入力ポート及び前記出力ポートと前記合流スイッチの前記出力ポート及び前記入力ポートとの間で接続可能な組合せを記載した論理情報テーブル、及び前記分岐スイッチと前記合流スイッチの物理的情報を記載した物理情報テーブルを参照して前記光信号レベルモニタ要求に物理構成変換を施し、前記光信号レベルモニタ要求の光信号レベルモニタ点での光信号レベル測定の可否を判定し、
前記光信号レベル測定が可能な場合、前記光信号レベルモニタ要求を前記光信号レベルモニタ点における前記光レベルモニタのドライバに送信して前記光レベルモニタを駆動し、前記光信号レベルモニタ点の光信号レベル測定値を取得し、
前記論理情報テーブル及び前記物理情報テーブルを参照して取得した光信号レベルモニタ測定値に物理構成変換を施して前記論理制御機能部へ通知する
ことを特徴とする光サブシステム。
【請求項３】
１個の入力ポート及び複数の出力ポートを有する分岐スイッチと、
１個の出力ポート及び複数の入力ポート、並びに前記出力ポートから出力する光信号の光強度を調整する光強度調整機能を有する合流スイッチと、
論理的制御機能部と、
物理的制御機能部と、
前記合流スイッチの前記出力ポートに配置された光レベルモニタと、
を備える光サブシステムであって、
前記論理的制御機能部は、
ＡＬＣ（Ａｕｔｏ  Ｌｅｖｅｌ  Ｃｏｎｔｒｏｌ）要求があったときに、前記分岐スイッチ及び前記合流スイッチの接続に関する接続状態遷移図、前記光レベルモニタが配置された光信号レベルモニタ点の光レベル状態遷移図、及び前記ＡＬＣ要求の前記出力ポートのＡＬＣ遷移状態図を参照してＡＬＣの可否を判定し、
ＡＬＣが可能な場合、前記ＡＬＣ要求を前記合流スイッチの前記物理制御機能部に通知し、
前記物理制御機能部は、
前記論理的制御機能部から前記ＡＬＣ要求を通知されると、前記分岐スイッチの前記入力ポート及び前記出力ポートと前記合流スイッチの前記出力ポート及び前記入力ポートとの間で接続可能な組合せを記載した論理情報テーブル、及び前記分岐スイッチと前記合流スイッチの物理的情報を記載した物理情報テーブルを参照して前記ＡＬＣ要求に物理構成変換を施した後、前記ＡＬＣ要求を前記光信号レベルモニタ点での光信号のレベル測定要求として前記光レベルモニタのドライバに送信して前記光レベルモニタを駆動し、前記光信号レベルモニタ点の光信号レベル測定値を取得するとともに、予め設定されたＡＬＣ目標値と前記光信号レベル測定値に基づき光信号の減衰量設定を決定し、前記減衰量設定を前記光強度調整機能のドライバに送信して前記光強度調整機能を駆動するフィードバックを行う、
ことを特徴とする光サブシステム。
【請求項４】
前記物理的制御機能部の前記論理情報テーブル及び前記物理情報テーブルの設定を変更することで設定可能な光パスの組み合わせを変更する設定変更機能部をさらに備えることを特徴とする請求項１から３に記載の光サブシステム。
【請求項５】
１個の入力ポート及び複数の出力ポートを有する分岐スイッチと、
１個の出力ポート及び複数の入力ポートを有する合流スイッチと、
論理的制御機能部と、
物理的制御機能部と、
を備える光サブシステムの光サブシステム制御方法であって、
前記論理制御機能部に光パス設定要求があったときに、前記論理的制御機能部が、前記分岐スイッチ及び前記合流スイッチの接続に関する接続状態遷移図を参照して前記光パス設定要求の可否を判定し、
光パス設定が可能な場合、前記論理制御機能部が前記光パス設定要求を前記物理制御機能部に送信し、
前記光パス設定要求を受信した前記物理制御機能部が、前記分岐スイッチの前記入力ポート及び前記出力ポートと前記合流スイッチの前記出力ポート及び前記入力ポートとの間で接続可能な組合せを記載した論理情報テーブル、及び前記分岐スイッチと前記合流スイッチの物理的情報を記載した物理情報テーブルを参照して前記光パス設定要求に物理構成変換を施し、前記分岐スイッチ及び前記合流スイッチのスイッチ設定の可否を判定し、
前記スイッチ設定が可能な場合、前記物理的制御機能部が、前記スイッチ設定を前記分岐スイッチ及び前記合流スイッチのドライバに送信して前記分岐スイッチ及び前記合流スイッチを駆動することを特徴とする光サブシステム制御方法。
【請求項６】
１個の入力ポート及び複数の出力ポートを有する分岐スイッチと、
１個の出力ポート及び複数の入力ポートを有する合流スイッチと、
論理的制御機能部と、
物理的制御機能部と、
前記分岐スイッチの前記入力ポート、前記分岐スイッチの一部又は全部の前記出力ポート、前記合流スイッチの前記出力ポート、及び前記合流スイッチの一部又は全部の前記入力ポートのそれぞれに配置された光レベルモニタと、
を備える光サブシステムの光サブシステム制御方法であって、
前記論理制御機能部に光信号レベルモニタ要求があったときに、前記論理的制御機能部が、前記分岐スイッチ及び前記合流スイッチの接続に関する接続状態遷移図及び前記光信号レベルモニタ要求の光信号レベルモニタ点の光レベル状態遷移図を参照して前記光信号レベルモニタ要求の可否を判定し、
光信号レベルモニタが可能な場合、前記論理制御機能部が前記光信号レベルモニタ要求を前記物理制御機能部に送信し、
前記光信号レベルモニタ要求を受信した前記物理制御機能部が、前記分岐スイッチの前記入力ポート及び前記出力ポートと前記合流スイッチの前記出力ポート及び前記入力ポートとの間で接続可能な組合せを記載した論理情報テーブル、及び前記分岐スイッチと前記合流スイッチの物理的情報を記載した物理情報テーブルを参照して前記光信号レベルモニタ要求に物理構成変換を施し、前記光信号レベルモニタ要求の光信号レベルモニタ点での光信号レベル測定の可否を判定し、
前記光信号レベル測定が可能な場合、前記物理的制御機能部が、前記光信号レベルモニタ要求を前記光信号レベルモニタ点における前記光レベルモニタのドライバに送信して前記光レベルモニタを駆動し、前記光信号レベルモニタ点の光信号レベル測定値を取得し、
前記物理制御機能部が、前記論理情報テーブル及び前記物理情報テーブルを参照して取得した光信号レベルモニタ測定値に物理構成変換を施して前記論理制御機能部へ通知することを特徴とする光サブシステム制御方法。
【請求項７】
１個の入力ポート及び複数の出力ポートを有する分岐スイッチと、
１個の出力ポート及び複数の入力ポート、並びに前記出力ポートから出力する光信号の光強度を調整する光強度調整機能を有する合流スイッチと、
論理的制御機能部と、
物理的制御機能部と、
前記合流スイッチの前記出力ポートに配置された光レベルモニタと、
を備える光サブシステムの光サブシステム制御方法であって、
ＡＬＣ（Ａｕｔｏ  Ｌｅｖｅｌ  Ｃｏｎｔｒｏｌ）要求があったときに、前記論理的制御機能部が、前記分岐スイッチ及び前記合流スイッチの接続に関する接続状態遷移図、前記光レベルモニタが配置された光信号レベルモニタ点の光レベル状態遷移図、及び前記ＡＬＣ要求の前記出力方路のＡＬＣ遷移状態図を参照してＡＬＣの可否を判定し、
ＡＬＣが可能な場合、前記論理制御機能部が前記ＡＬＣ要求を前記合流スイッチの前記物理制御機能部に通知し、
前記ＡＬＣ要求を通知された前記物理制御機能部が、前記分岐スイッチの前記入力ポート及び前記出力ポートと前記合流スイッチの前記出力ポート及び前記入力ポートとの間で接続可能な組合せを記載した論理情報テーブル、及び前記分岐スイッチと前記合流スイッチの物理的情報を記載した物理情報テーブルを参照して前記ＡＬＣ要求に物理構成変換を施した後、前記ＡＬＣ要求を前記光信号レベルモニタ点での光信号のレベル測定要求として前記光レベルモニタのドライバに送信して前記光レベルモニタを駆動し、前記光信号レベルモニタ点の光信号レベル測定値を取得するとともに、予め設定されたＡＬＣ目標値と前記光信号レベル測定値に基づき光信号の減衰量設定を決定し、前記減衰量設定を前記光強度調整機能のドライバに送信して前記光強度調整機能を駆動するフィードバックを行う、
ことを特徴とする光サブシステム制御方法。
【請求項８】
前記論理情報テーブル及び前記物理情報テーブルの設定を変更することで設定可能な光パスの組み合わせを変更することを特徴とする請求項５から７に記載の光サブシステム制御方法。
【発明の詳細な説明】
【技術分野】
【０００１】
本発明は、フォトニックネットワークにおける光ノードを構成する光サブシステムに関するものである。
【背景技術】
【０００２】
図１に従来のフォトニックＮＷ（Ｎｅｔｗｏｒｋ）の構成例を示す。図１に示すように、フォトニックＮＷは、複数の光ノードと光ノード間を接続する光ファイバで構成されている（例えば、非特許文献１を参照。）。
【０００３】
フォトニックＮＷを介してクライアント信号を転送する場合は、信号を送信する光ノードにおいてクライアント信号を光信号に変換し、変換した光信号を、前記送信する光ノードから光信号を受信する光ノードまで転送して、前記受信する光ノードにおいて光信号からクライアント信号に変換する。この際、送信光ノードから受信光ノードまでの光信号の経路を光パスと呼び、光信号を光パス信号と呼ぶ。
【０００４】
図１に示すフォトニックＮＷにおいては、光ノードにＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ）ノードを用いている。ＲＯＡＤＭノードは、隣接したＲＯＡＤＭノードから転送された波長多重（ＷＤＭ：Ｗａｖｅｌｅｎｇｔｈ  Ｄｉｖｉｓｉｏｎ  Ｍｕｌｔｉｐｌｅｘｉｎｇ）信号から、波長単位で光パス信号の分岐・挿入を行い、別の隣接したＲＯＡＤＭノードにＷＤＭ信号を転送することを可能にするノードである。ＲＯＡＤＭノードには、２つの隣接したＲＯＡＤＭノードと接続可能な２−ｄｅｇｒｅｅ  ＲＯＡＤＭと、３つ以上の隣接したＲＯＡＤＭノードと接続可能なＭｕｌｔｉ−ｄｅｇｒｅｅ  ＲＯＡＤＭがある。これらのＲＯＡＤＭノードにより、リングＮＷ、マルチリングＮＷ、メッシュＮＷを構築することが可能である。なお。２−ｄｅｇｒｅｅ  ＲＯＡＤＭ、Ｍｕｌｔｉ−ｄｅｇｒｅｅ  ＲＯＡＤＭ等における”ｄｅｇｒｅｅ”とは方路数を意味しており、当該ＲＯＡＤＭノードが接続できる隣接したＲＯＡＤＭノードの数に相当する。
【０００５】
図２に従来のＭｕｌｔｉ−ｄｅｇｒｅｅ  ＲＯＡＤＭノードの構成例を示す。図２に示すように、当該Ｍｕｌｔｉ−ｄｅｇｒｅｅ  ＲＯＡＤＭノードは、隣接ノードに送信する、または、隣接ノードから受信するＷＤＭ信号を増幅する光アンプと、クライアント信号を光パス信号に変換して送信する送信機と、光パス信号を受信してクライアント信号に変換する受信機と、光パス信号の経路を切替える光パス切り替え手段で構成される。
【０００６】
図２に示す構成例では、光パス信号の経路を切替える光パス切り替え手段として、光カプラ、１×９ＷＳＳ、および９×１ＷＳＳを用いている。ここで、ＷＳＳ（Ｗａｖｅｌｅｎｇｔｈ  Ｓｅｌｅｃｔｉｖｅ  Ｓｗｉｔｃｈ：波長選択スイッチ）とは、各入出力ポートにおいてＷＤＭ信号を入出力し、スイッチ機能として波長単位で接続する入出力ポートを選択することが可能なスイッチである。入力１ポートと出力９ポートを備えるＷＳＳが１×９ＷＳＳであり、入力９ポートと出力１ポートを備えるＷＳＳが９×１ＷＳＳである。
【０００７】
図２に示す構成例では、送信機において任意の波長の光パス信号を送信し、且つ、受信機において任意の波長の光パス信号を受信することが可能なカラーレス機能を備えている。なお、光ノードの構成としては、図２に示す構成の他、カラーレス機能の無いＲＯＡＤＭノードや、２−ｄｅｇｒｅｅのＲＯＡＤＭノードが報告されている。
【先行技術文献】
【非特許文献】
【０００８】
【非特許文献１】Ｅ．Ｂｅｒｔ．Ｂａｓｃｈ，ｅｔ．ａｌ，“Ａｒｃｈｉｔｅｃｔｕｒａｌ  Ｔｒａｄｅｏｆｆｓ  ｆｏｒ  Ｒｅｃｏｎｆｉｇｕｒａｂｌｅ  Ｄｅｎｓｅ  Ｗａｖｅｌｅｎｇｔｈ−Ｄｉｖｉｓｉｏｎ  Ｍｕｌｔｉｐｌｅｘｉｎｇ  Ｓｙｓｔｅｍｓ”，ＩＥＥＥ  Ｊ．ｏｆ  ｓｅｌｅｃｔｅｄ  ｔｏｐｉｃｓ  ｉｎ  Ｑｕａｎｔｕｍ  ｅｌｅｃｔｒｏｎｉｃｓ．  Ｖｏｌ．１２，Ｎｏ．４，ＪＵＬＹ／ＡＵＧＵＳＴ  ２００６
【発明の概要】
【発明が解決しようとする課題】
【０００９】
光ノード製造者は、光ノードを構成する光アンプ、送受信機および光パス切り替え手段となる光スイッチなどの光部品を内製して光ノードを作製する場合もあるが、通常、各光部品製造者から光ノードの構成に必要となる光部品、または光部品を複数個組み合わせた光サブシステムの提供を受けて光ノードを製造する。しかしながら、この光サブシステムは、同一機能のＲＯＡＤＭノードを作製する場合であっても、使用する光部品の組み合わせに応じて、異なる管理制御機能を備えるように設計及び作製する必要があった。具体的には、図２に示す構成において、光カプラに代えてＷＳＳを利用することが可能であるが、この場合、受動部品である光カプラでは不要であった光パス切り替え制御機能の追加が必要となるため、結果として、異なる管理制御機能を備えた光サブシステムを作製する必要がある。また、図２に示す構成において、光カプラと１×９ＷＳＳの機能を１×Ｎ（Ｎは１０以上の整数）ＷＳＳで置換することも可能であるが、この場合、光パス信号を他方路へ接続する光スイッチの制御と、自ノードの送受信機に接続する光スイッチの制御を統合する必要があり、結果として、異なる管理制御機能を備えた光サブシステムを作製する必要がある。すなわち、例示した光部品の組合せに対応するためには、合計３種類の異なる管理制御機能を備えた光サブシステムを提供する必要がある。
【００１０】
このように従来、同一機能のＲＯＡＤＭノードを作成する場合であっても、使用する光部品の組み合わせに応じて、異なる管理制御機能を備えた光サブシステムをそれぞれ個別に設計及び製造する必要があり、開発に膨大なコストや長い時間が必要という課題があった。
【００１１】
そこで、前記課題を解決するために、本発明は、使用する光部品の組み合わせが変わっても個別に設計及び製造する必要がなく、開発期間が短く且つ低コストである光サブシステム及び光サブシステム制御方法を提供することを目的とする。
【課題を解決するための手段】
【００１２】
上記目的を達成するために、本発明に係る光サブシステム及び光サブシステム制御方法は、管理制御機能を論理的制御と物理的制御に分離することとした。
【００１３】
具体的には、本発明に係る光サブシステムは、
１個の入力ポート及び複数の出力ポートを有する分岐スイッチと、
１個の出力ポート及び複数の入力ポートを有する合流スイッチと、
論理的制御機能部と、
物理的制御機能部と、
を備える光サブシステムであって、
前記論理的制御機能部は、
前記論理制御機能部に光パス設定要求があったときに、前記分岐スイッチ及び前記合流スイッチの接続に関する接続状態遷移図を参照して前記光パス設定要求の可否を判定し、
光パス設定が可能な場合、前記光パス設定要求を前記物理制御機能部に送信し、
前記物理制御機能部は、
前記論理的制御機能部から前記光パス設定要求を受信すると、前記分岐スイッチの前記入力ポート及び前記出力ポートと前記合流スイッチの前記出力ポート及び前記入力ポートとの間で接続可能な組合せを記載した論理情報テーブル、及び前記分岐スイッチと前記合流スイッチの物理的情報を記載した物理情報テーブルを参照して前記光パス設定要求に物理構成変換を施し、前記分岐スイッチ及び前記合流スイッチのスイッチ設定の可否を判定し、
前記スイッチ設定が可能な場合、前記スイッチ設定を前記分岐スイッチ及び前記合流スイッチのドライバに送信して前記分岐スイッチ及び前記合流スイッチを駆動する
ことを特徴とする。
【００１４】
本発明に係る光サブシステム制御方法は、
１個の入力ポート及び複数の出力ポートを有する分岐スイッチと、
１個の出力ポート及び複数の入力ポートを有する合流スイッチと、
論理的制御機能部と、
物理的制御機能部と、
を備える光サブシステムの光サブシステム制御方法であって、
前記論理制御機能部に光パス設定要求があったときに、前記論理的制御機能部が、前記分岐スイッチ及び前記合流スイッチの接続に関する接続状態遷移図を参照して前記光パス設定要求の可否を判定し、
光パス設定が可能な場合、前記論理制御機能部が前記光パス設定要求を前記物理制御機能部に送信し、
前記光パス設定要求を受信した前記物理制御機能部が、前記分岐スイッチの前記入力ポート及び前記出力ポートと前記合流スイッチの前記出力ポート及び前記入力ポートとの間で接続可能な組合せを記載した論理情報テーブル、及び前記分岐スイッチと前記合流スイッチの物理的情報を記載した物理情報テーブルを参照して前記光パス設定要求に物理構成変換を施し、前記分岐スイッチ及び前記合流スイッチのスイッチ設定の可否を判定し、
前記スイッチ設定が可能な場合、前記物理的制御機能部が、前記スイッチ設定を前記分岐スイッチ及び前記合流スイッチのドライバに送信して前記分岐スイッチ及び前記合流スイッチを駆動することを特徴とする。
【００１５】
同一の光部品を組み合わせた光サブシステムであっても、論理情報テーブルと物理情報テーブルの設定を変更すれば、多様な光パス設定、監視設定、光強度制御、運用形態変更に対応することができる。光サブシステムは同一の光部品を組み合わせでよいので設計及び製造に必要となるコスト及び時間を低減できる。
【００１６】
従って、本発明は、使用する光部品の組み合わせが変わっても個別に設計及び製造する必要がなく、開発期間が短く且つ低コストである光サブシステム及び光サブシステム制御方法を提供することができる。
【００１７】
本発明に係る光サブシステムは、
１個の入力ポート及び複数の出力ポートを有する分岐スイッチと、
１個の出力ポート及び複数の入力ポートを有する合流スイッチと、
論理的制御機能部と、
物理的制御機能部と、
前記分岐スイッチの前記入力ポート、前記分岐スイッチの少なくともＭ個の前記出力ポート、前記合流スイッチの前記出力ポート、及び前記合流スイッチの少なくともＭ個の前記入力ポートのそれぞれに配置された光レベルモニタと、
を備える光サブシステムであって、
前記論理的制御機能部は、
光信号レベルモニタ要求があったときに、前記分岐スイッチ及び前記合流スイッチの接続に関する接続状態遷移図及び前記光信号レベルモニタ要求の光信号レベルモニタ点の光レベル状態遷移図を参照して前記光信号レベルモニタ要求の可否を判定し、
光信号レベルモニタが可能な場合、前記光信号レベルモニタ要求を前記物理制御機能部に送信し、
前記物理制御機能部は、
前記論理的制御機能部から前記光信号レベルモニタ要求を受信すると、前記分岐スイッチの前記入力ポート及び前記出力ポートと前記合流スイッチの前記出力ポート及び前記入力ポートとの間で接続可能な組合せを記載した論理情報テーブル、及び前記分岐スイッチと前記合流スイッチの物理的情報を記載した物理情報テーブルを参照して前記光信号レベルモニタ要求に物理構成変換を施し、前記光信号レベルモニタ要求の光信号レベルモニタ点での光信号レベル測定の可否を判定し、
前記光信号レベル測定が可能な場合、前記光信号レベルモニタ要求を前記光信号レベルモニタ点における前記光レベルモニタのドライバに送信して前記光レベルモニタを駆動し、前記光信号レベルモニタ点の光信号レベル測定値を取得し、
前記論理情報テーブル及び前記物理情報テーブルを参照して取得した光信号レベルモニタ測定値に物理構成変換を施して前記論理制御機能部へ通知する
ことを特徴とする。
【００１８】
本発明に係る光サブシステム制御方法は、
１個の入力ポート及び複数の出力ポートを有する分岐スイッチと、
１個の出力ポート及び複数の入力ポートを有する合流スイッチと、
論理的制御機能部と、
物理的制御機能部と、
前記分岐スイッチの前記入力ポート、前記分岐スイッチの一部又は全部の前記出力ポート、前記合流スイッチの前記出力ポート、及び前記合流スイッチの一部又は全部の前記入力ポートのそれぞれに配置された光レベルモニタと、
を備える光サブシステムの光サブシステム制御方法であって、
前記論理制御機能部に光信号レベルモニタ要求があったときに、前記論理的制御機能部が、前記分岐スイッチ及び前記合流スイッチの接続に関する接続状態遷移図及び前記光信号レベルモニタ要求の光信号レベルモニタ点の光レベル状態遷移図を参照して前記光信号レベルモニタ要求の可否を判定し、
光信号レベルモニタが可能な場合、前記論理制御機能部が前記光信号レベルモニタ要求を前記物理制御機能部に送信し、
前記光信号レベルモニタ要求を受信した前記物理制御機能部が、前記分岐スイッチの前記入力ポート及び前記出力ポートと前記合流スイッチの前記出力ポート及び前記入力ポートとの間で接続可能な組合せを記載した論理情報テーブル、及び前記分岐スイッチと前記合流スイッチの物理的情報を記載した物理情報テーブルを参照して前記光信号レベルモニタ要求に物理構成変換を施し、前記光信号レベルモニタ要求の光信号レベルモニタ点での光信号レベル測定の可否を判定し、
前記光信号レベル測定が可能な場合、前記物理的制御機能部が、前記光信号レベルモニタ要求を前記光信号レベルモニタ点における前記光レベルモニタのドライバに送信して前記光レベルモニタを駆動し、前記光信号レベルモニタ点の光信号レベル測定値を取得し、
前記物理制御機能部が、前記論理情報テーブル及び前記物理情報テーブルを参照して取得した光信号レベルモニタ測定値に物理構成変換を施して前記論理制御機能部へ通知することを特徴とする。
【００１９】
本光サブシステムは、所定箇所に光レベルモニタをさらに備えるため、論理情報テーブルと物理情報テーブルの設定を変更すれば、多様な光信号の光強度の監視設定に対応することができる。
【００２０】
本発明に係る光サブシステムは、
１個の入力ポート及び複数の出力ポートを有する分岐スイッチと、
１個の出力ポート及び複数の入力ポート、並びに前記出力ポートから出力する光信号の光強度を調整する光強度調整機能を有する合流スイッチと、  論理的制御機能部と、
物理的制御機能部と、
前記合流スイッチの前記出力ポートに配置された光レベルモニタと、
を備える光サブシステムであって、
前記論理的制御機能部は、
ＡＬＣ（Ａｕｔｏ  Ｌｅｖｅｌ  Ｃｏｎｔｒｏｌ）要求があったときに、前記分岐スイッチ及び前記合流スイッチの接続に関する接続状態遷移図、前記光レベルモニタが配置された光信号レベルモニタ点の光レベル状態遷移図、及び前記ＡＬＣ要求の前記出力ポートのＡＬＣ遷移状態図を参照してＡＬＣの可否を判定し、
ＡＬＣが可能な場合、前記ＡＬＣ要求を前記合流スイッチの前記物理制御機能部に通知し、
前記物理制御機能部は、
前記論理的制御機能部から前記ＡＬＣ要求を通知されると、前記論理情報テーブル及び前記物理情報テーブルを参照して前記ＡＬＣ要求に物理構成変換を施した後、前記ＡＬＣ要求を前記光信号レベルモニタ点での光信号のレベル測定要求として前記光レベルモニタのドライバに送信して前記光レベルモニタを駆動し、前記光信号レベルモニタ点の光信号レベル測定値を取得するとともに、予め設定されたＡＬＣ目標値と前記光信号レベル測定値に基づき光信号の減衰量設定を決定し、前記減衰量設定を前記光強度調整機能のドライバに送信して前記光強度調整機能を駆動するフィードバックを行う、
ことを特徴とする。
【００２１】
本発明に係る光サブシステム制御方法は、
１個の入力ポート及び複数の出力ポートを有する分岐スイッチと、
１個の出力ポート及び複数の入力ポート、並びに前記出力ポートから出力する光信号の光強度を調整する光強度調整機能を有する合流スイッチと、
論理的制御機能部と、
物理的制御機能部と、
前記合流スイッチの前記出力ポートに配置された光レベルモニタと、
を備える光サブシステムの光サブシステム制御方法であって、
ＡＬＣ（Ａｕｔｏ  Ｌｅｖｅｌ  Ｃｏｎｔｒｏｌ）要求があったときに、前記論理的制御機能部が、前記分岐スイッチ及び前記合流スイッチの接続に関する接続状態遷移図、前記光レベルモニタが配置された光信号レベルモニタ点の光レベル状態遷移図、及び前記ＡＬＣ要求の前記出力方路のＡＬＣ遷移状態図を参照してＡＬＣの可否を判定し、
ＡＬＣが可能な場合、前記論理制御機能部が前記ＡＬＣ要求を前記合流スイッチの前記物理制御機能部に通知し、
前記ＡＬＣ要求を通知された前記物理制御機能部が、前記論理情報テーブル及び前記物理情報テーブルを参照して前記ＡＬＣ要求に物理構成変換を施した後、前記ＡＬＣ要求を前記光信号レベルモニタ点での光信号のレベル測定要求として前記光レベルモニタのドライバに送信して前記光レベルモニタを駆動し、前記光信号レベルモニタ点の光信号レベル測定値を取得するとともに、予め設定されたＡＬＣ目標値と前記光信号レベル測定値に基づき光信号の減衰量設定を決定し、前記減衰量設定を前記光強度調整機能のドライバに送信して前記光強度調整機能を駆動するフィードバックを行う、
ことを特徴とする。
【００２２】
本光サブシステムは、出力方路から出力する光信号の光強度を光レベルモニタで測定して調整できるため、論理情報テーブルと物理情報テーブルの設定を変更すれば、多様な光信号の光強度制御に対応することができる。
【００２３】
本発明に係る光サブシステムは、前記物理的制御機能部の前記論理情報テーブル及び前記物理情報テーブルの設定を変更することで設定可能な光パスの組み合わせを変更する設定変更機能部をさらに備えることを特徴とする。
【００２４】
本発明に係る光サブシステム制御方法は、前記論理情報テーブル及び前記物理情報テーブルの設定を変更することで設定可能な光パスの組み合わせを変更することを特徴とする。
【００２５】
本光サブシステムは、上位装置からのコマンドを入力することで、多様な光パス設定、監視設定、光強度制御、運用形態変更に対応することができる。
【発明の効果】
【００２６】
本発明は、使用する光部品の組み合わせが変わっても個別に設計及び製造する必要がなく、開発期間が短く且つ低コストである光サブシステム及び光サブシステム制御方法を提供することができる。
【図面の簡単な説明】
【００２７】
【図１】フォトニックネットワークの構成例を示す図である。
【図２】従来のＭ−ｄｅｇｒｅｅ  ＲＯＡＤＭノードの構成例を示す図である。
【図３】Ｍ−ｄｅｇｒｅｅ  ＲＯＡＤＭノードと光サブシステムの関係を示す図である。
【図４】本発明に係る光サブシステムの構成例を示す図である。
【図５】本発明に係る光サブシステムの分岐スイッチを構成する光部品とその接続方法の例を示す図である。
【図６】本発明に係る光サブシステムの合流スイッチを構成する光部品とその接続方法の例を示す図である。
【図７】本発明に係る光サブシステム制御方法を説明する制御フローである。
【図８】本発明に係る光サブシステムの分岐スイッチおよび合流スイッチの接続状態遷移を示す図である。
【図９】本発明に係る光サブシステムの論理物理変換テーブルを示す図である。
【図１０】本発明に係る光サブシステムの構成例を示す図である。
【図１１】本発明に係る光サブシステムの分岐スイッチにおける光信号レベルモニタを構成する光部品とその接続方法の例を示す図である。
【図１２】本発明に係る光サブシステムの合流スイッチにおける光信号レベルモニタを構成する光部品とその接続方法の例を示す図である。
【図１３】本発明に係る光サブシステム制御方法を説明する制御フローである。
【図１４】本発明に係る光サブシステムの分岐スイッチおよび合流スイッチに関係する光パスにおける光信号レベルモニタの光レベル状態遷移を示す図である。
【図１５】本発明に係る光サブシステムの論理物理変換テーブルを示す図である。
【図１６】本発明に係る光サブシステムの構成例を示す図である。
【図１７】本発明に係る光サブシステムの合流スイッチおよび光レベルモニタを製造するために必要な光部品とその接続方法の例を示す図である。
【図１８】本発明に係る光サブシステム制御方法を説明する制御フローである。
【図１９】本発明に係る光サブシステムの合流スイッチにおけるＡＬＣ機能のＡＬＣ状態遷移を示す図である。
【図２０】本発明に係る光サブシステムの論理物理変換テーブルを示す図である。
【図２１】本発明に係る光サブシステム制御方法を説明する制御フローである。
【図２２】本発明に係る光サブシステムの各制御機能部間の情報交換経路を示す図である。
【図２３】本発明に係る光サブシステムの合流スイッチにおける光信号レベルモニタを構成する光部品とその接続方法の例を示す図である。
【図２４】本発明に係る光サブシステムの論理物理変換テーブルを示す図である。
【図２５】本発明に係る光サブシステムの論理情報テーブルを示す図である。
【図２６】本発明に係る光サブシステムの物理情報テーブルを示す図である。
【発明を実施するための形態】
【００２８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。また、枝番号を付さずに説明している場合は、当該符号の全ての枝番号に共通する説明である。
【００２９】
（実施形態１）
［設定系処理：光パス設定］
ＲＯＡＤＭノードを構成する光サブシステムにおける設定系処理として、光ノード内の光パス設定方法を例に挙げ、本光サブシステムの適用方法および効果を説明する。
【００３０】
図３はＭ−ｄｅｇｒｅｅ  ＲＯＡＤＭノード（Ｍは２以上の整数）である光ノード４０１と、光ノード４０１を構成する光サブシステム１１の関係を示した図である。光ノード４０１は、光ノード全体を管理するノード管理制御部１０とＭ個の光サブシステム１１から構成され、ノード管理制御部１０が各光サブシステム１１の制御を行う。なお、ノード管理制御部１０は、必ずしも光ノード４０１内部に備える必要は無く、光ノード４０１の外部に備え、データ通信ネットワークを介して光ノード４０１と接続する構成としても良い。
【００３１】
図４は光パス設定機能を備えた光サブシステム１１の構成例を示す図である。光サブシステム１１は、入力側の光パスとして方路ｍ（１≦ｍ≦Ｍ）と接続された分岐スイッチ２１と、出力側の光パスとして方路ｍと接続された合流スイッチ２２を有する。
【００３２】
分岐スイッチ２１は、分岐側方路選択スイッチ３１と分岐側波長割当スイッチ３２を有する。分岐側方路選択スイッチ３１において、方路ｍの入力光パスを、方路ｍにおける受信機４１に接続するか、もしくは、他方路ｍ’（ｍ≠ｍ’）に接続するか、ノード管理制御部１０からの命令に従いスイッチの出力ポートを選択して、スイッチの入力ポートと該当出力ポートを接続することで光パスを設定する。ここで、光パスを方路ｍにおける受信機４１に接続する場合を、Ｄｒｏｐ状態と定義する。Ｄｒｏｐの場合、分岐側波長割当スイッチ３２において、光パスをどの受信機４１に接続するか、ノード管理制御部１０からの命令に従いスイッチの出力ポートを選択して、スイッチの入力ポートと該当出力ポートを接続することで光パスを設定する。
【００３３】
合流スイッチ２２は、合流側方路選択スイッチ３３と合流側波長割当スイッチ３４を有する。合流側方路選択スイッチ３３において、方路ｍの出力光パスを、方路ｍにおける送信機４２に接続するか、もしくは、他方路ｍ’（ｍ≠ｍ’）に接続するか、ノード管理制御部１０からの命令に従いスイッチの入力ポートを選択して、スイッチの出力ポートと該当入力ポートを接続することで光パスを設定する。ここで、光パスを方路ｍにおける送信機４２に接続する場合を、Ａｄｄ状態と定義する。Ａｄｄの場合、合流側波長割当スイッチ３４において、光パスをどの送信機４２に接続するか、ノード管理制御部１０からの命令に従いスイッチの入力ポートを選択して、スイッチの出力ポートと該当入力ポートを接続することで光パスを設定する。
【００３４】
以上で説明したように、光サブシステム１１は４つのスイッチ機能（分岐側方路選択スイッチ３１、分岐側波長割当スイッチ３２、合流側方路選択スイッチ３３および合流側波長割当スイッチ３４）を有する。ただし、これらのスイッチは光サブシステム１１におけるスイッチ機能を表しており、光サブシステム１１を製造するために必要な光部品である光スイッチの配置や、前記光スイッチの入出力ポートの物理的な接続関係を示すものではない。
【００３５】
図５はカラーレス機能を備える光サブシステム１１が備える分岐スイッチ２１を製造するために必要な光部品と、その接続方法を例示している。図５に示す例では、Ｎ個（Ｎは自然数）の受信機４１と分岐スイッチ２１が接続された構成となっている。図５ａに示す例では、分岐側方路選択スイッチ３１として１×Ｍ  ＷＳＳを採用し、分岐側波長割当スイッチ３２として１×Ｎ  ＷＳＳを採用している。図５ｂに示す例では、分岐側方路選択スイッチ３１と分岐側波長割当スイッチ３２を１つの１×（Ｍ＋Ｎ）ＷＳＳで構成する。１つのＷＳＳにおいて、他方路へ接続する出力ポートと、自ノードの受信機４１へ接続する出力ポートの両方を備えている点が図５ａに示す例と異なる点である。図５ｃに示す例では、分岐側方路選択スイッチ３１として１×Ｍ  光カプラ（Ｏｐｔｉｃａｌ  Ｃｏｕｐｌｅｒ：ＯＣ）を採用し、分岐側波長割当スイッチ３２として１×Ｎ  ＷＳＳを採用している。ここで、光カプラ３１は、入力光パス信号を全ての出力ポートに、同時に分配する機能を有する光部品である。図５に示すように、分岐スイッチ２１において、３通りの光部品の組合せが考えられる。
【００３６】
図６はカラーレス機能を備える光サブシステム１１を構成する合流スイッチ２２を製造するために必要な光部品と、その接続方法を例示している。図６に示す例では、Ｎ個（Ｎは自然数）の送信機４２と合流スイッチ２２が接続された構成となっている。図６ａに示す例では、合流側方路選択スイッチ３３としてＭ×１  ＷＳＳを採用し、合流側波長割当スイッチ３４としてＮ×１  ＷＳＳを採用している。図６ｂに示す例では、合流側方路選択スイッチ３３と合流側波長割当スイッチ３４とを１つの（Ｍ＋Ｎ）×１  ＷＳＳで構成している。１つのＷＳＳにおいて、他方路と接続する入力ポートと、自ノードの送信機へ接続する入力ポートの両方を備えている点が図６ａに示す例と異なる点である。図６ｃに示す例では、合流側方路選択スイッチ３３としてＭ×１  光カプラを採用し、合流側波長割当スイッチ３４としてＮ×１  ＷＳＳを採用している。図６に示すように、合流スイッチ２２において、３通りの光部品の組合せが考えられる。
【００３７】
図５および図６に示したように、分岐スイッチ２１及び合流スイッチ２２の光部品の組合せがそれぞれ３通りあるので、光サブシステム１１を構成する光部品の組合せは合計で９通りとなる。ただし、図５ｃと図６ｃの光部品構成を組み合わせると、運用者が意図しない方路にも光パスが設定されてしまうため、構成として採用できない。したがって、図５および図６で示した光部品を採用する可能性がある場合、従来、光サブシステム製造者は８通りの光サブシステムとその制御方法を設計及び製造する必要があった。
【００３８】
図７は、光サブシステム１１の制御フローである。以下、方路ｍに関わる光パス信号の経路設定方法を、図７に例示した制御フローに沿って詳細に説明する。
（１）ノード管理制御部１０からの光パス設定要求を、ＩＦ（Ｉｎｔｅｒｆａｃｅ）機能部で受信する。
（２）ＩＦ機能部は論理制御機能部に対して、光パス設定を要求する。
（３）論理制御機能部は、ＩＦ機能部から受けた光パス設定要求を解析し、該当する分岐スイッチ２１及び合流スイッチ２２の接続状態遷移を参照して、光パス設定の可否を判定する。なお、分岐スイッチ２１及び合流スイッチ２２の接続状態遷移については後述する。光パス設定が不可能な場合、論理制御機能部はＩＦ機能部に要求拒否を通知する。
（４）光パス設定が可能な場合は、光パス設定要求を分岐スイッチ２１および合流スイッチ２２の物理制御機能部に送信する。
（５）分岐スイッチ２１および合流スイッチ２２の物理制御機能部において、論理情報テーブルと物理情報テーブルとの組を参照してパス設定要求に物理構成変換を施し、光部品である光スイッチのスイッチ設定可否を判定する。なお、以下の説明では、「論理情報テーブルと物理情報テーブルとの組」を「論理物理変換テーブル」と記載することがある。また、論理物理変換テーブルを参照して光パス設定要求に物理構成変換を施す工程については後述する。スイッチ設定が不可能な場合、論理制御機能部を経由してＩＦ機能部に要求拒否を通知する。
（６）スイッチ設定が可能な場合は、スイッチ設定要求を該当する光スイッチのドライバに送信する。
（７）光スイッチのドライバにおいて、スイッチ設定要求に基づいて光スイッチを駆動する。
（８）要求通りに光スイッチを駆動した場合、ＡＣＫ（Ａｃｋｎｏｗｌｅｄｇｅｍｅｎｔ）を論理制御機能部に通知する。  
（９）論理制御機能部において、ＡＣＫ通知に基づき、分岐スイッチ２１、合流スイッチ２２の接続状態遷移図における接続状態を更新する。
（１０）論理制御機能部からＩＦ機能部にＡＣＫ通知する。
（１１）ＩＦ機能部からノード制御管理部にＡＣＫ通知する。
【００３９】
次に、論理制御機能部において分岐スイッチ２１および合流スイッチ２２の状態を管理するために必要となる接続状態遷移について説明する。図８は光サブシステム１１における分岐スイッチ２１および合流スイッチ２２の接続状態遷移図である。図８ａは、ある波長λｎの光パス信号を他方路ｍ’に接続する場合の接続状態遷移を示している。光パスを他方路ｍ’に設定することを考えた場合、分岐スイッチ２１がとり得る状態は｛ＯＦＦ，ＸＣ｝（ＸＣ：ｃｒｏｓｓ  ｃｏｎｎｅｃｔ）であり、合流スイッチ２２がとり得る状態は｛ＯＦＦ，ＸＣ｝である。接続状態遷移図には分岐スイッチ２１と合流スイッチ２２がとり得る状態が示されており、図中の矢印で接続された状態間でスイッチ状態の遷移が可能であることを意味している。図８ｂは、ある波長λｎの光パス信号を自ノードの送受信機ｎに接続する場合の接続状態遷移を示している。光パスを自ノードの送受信機ｎに設定することを考えた場合、分岐スイッチ２１がとり得る状態は｛ＯＦＦ，ｄｒｏｐ｝であり、合流スイッチ２２がとり得る状態は｛ＯＦＦ，ａｄｄ｝である。接続状態遷移図には分岐スイッチ２１と合流スイッチ２２がとり得る状態が示されており、図中の矢印で接続された状態間でスイッチ状態の遷移が可能であることを意味している。光サブシステム１１における論理制御機能部では、接続状態遷移図に基づいてＩＦ機能部から受信した光パス設定要求の可否を判定する。
【００４０】
次に、論理物理変換テーブルを参照して光パス設定要求に物理構成変換を施す工程について説明する。図９は光サブシステム１１の光パス設定における論理物理変換テーブルを示している。図９ａは論理情報テーブルであり、ＸＣ状態で接続可能となる出力方路、Ａｄｄ−Ｄｒｏｐ状態で接続可能となる送受信機の送受信ポート番号がテーブルに記載されている。図９ｂは図５ａに示した光部品で構成される分岐スイッチ２１の物理情報テーブルである。例えば、論理制御機能部から、
“波長λｎの光パス信号を出力方路Ｍに接続”
という光パス設定要求を受信した場合、論理情報テーブルのＭ行目と物理情報テーブルのＭ行目を照合させ、
“ＷＳＳ＃１の入力ポート１、出力ポートＭを接続”
というスイッチ設定要求に変換して該当する光部品のドライバに送信する。また、例えば、論理制御機能部から、
“波長λｎの光パス信号を受信ポートｎに接続”
という光パス設定要求を受信した場合、論理情報テーブルの（Ｍ＋ｎ）行目と物理情報テーブルの（Ｍ＋ｎ）行目を照合させ、
“ＷＳＳ＃１の入力ポート１、出力ポートｍを接続”
および
“ＷＳＳ＃２の入力ポート１、出力ポートｎを接続”
というスイッチ設定要求に変換して、該当するそれぞれの光部品のドライバに送信する。
【００４１】
図９ｃは図５ｂに示した光部品で構成される分岐スイッチ２１の物理情報テーブルである。図９ｄは図５ｃに示した光部品で構成される分岐スイッチ２１の物理情報テーブルである。図９ｄは、分岐側方路選択スイッチ３１を構成する光カプラが受動部品であり、ドライバで駆動する必要がない点が図９ｂと異なる。例えば、論理制御機能部から、
“波長λｎの光パス信号を出力方路Ｍに接続”
という光パス設定要求を受信した場合、論理情報テーブルのＭ行目と物理情報テーブルのＭ行目を照合させた結果、該当する光部品が光カプラであることがわかる。光カプラは常時方路Ｍに接続された状態であり制御する必要がないため、光パス設定要求はドライバへの要求に変換することなくマスクされる。例えば、論理制御機能部から、
“波長λｎの光パス信号を受信ポートｎに接続”
という光パス設定要求を受信した場合、論理情報テーブルの（Ｍ＋ｎ）行目と物理情報テーブルの（Ｍ＋ｎ）行目を照合させ、
“ＷＳＳ＃１の入力ポート１、出力ポートＭを接続”
というスイッチ設定要求に変換して、該当する光部品のドライバに送信する。図９ｅ、ｆ、ｇは図６ａ、ｂ、ｃに示した光部品で構成される合流スイッチの物理情報テーブルである。
【００４２】
本制御方法の光サブシステム１１を製造した場合の効果をまとめると次のようになる。例として、光サブシステム製造者が分岐スイッチ２１として図５ａの光部品構成を採用し、合流スイッチ２２として図６ａの光部品構成を採用して光サブシステム１１を製造した場合を考える。例えば、別途、分岐スイッチ２１として図５ｂの光部品構成を採用し、合流スイッチ２２として図６ｂの光部品構成を採用する必要が生じた場合、本制御方法の光サブシステム１１であれば、物理制御機能部の論理物理変換テーブルを変更するのみで、光部品および光部品を駆動するドライバを置換することが可能となる。論理物理変換テーブルの変更は、例えば、光サブシステム１１を制御する上位装置からのコマンドにより書き換えることが可能である。図５および図６に挙げた光部品構成に対応する光サブシステム１１を製造する場合、本制御方法を利用することで光サブシステム製造に必要となるコスト及び時間を１／８に低減することが可能である。勿論、光部品の多様化に伴い光部品構成の組合せは増加するので、本発明の効果はそれにともない、より顕著に発現する。
【００４３】
（実施形態２）
［監視系処理：光信号レベルモニタ］
ＲＯＡＤＭノードを構成する光サブシステムにおける監視系処理として、光ノード内の光信号レベルモニタ方法を例に挙げ、本光サブシステムの適用方法および効果を説明する。本実施例の光サブシステムとＲＯＡＤＭノードの関係は、図３に示した実施形態１での説明と同じである。
【００４４】
図１０は光信号レベルモニタ機能を備えた光サブシステム１１’の構成例を示す図である。光サブシステム１１’は、図４の分岐側方路選択スイッチ３１、分岐側波長割当スイッチ３２、合流側方路選択スイッチ３３および合流側波長割当スイッチ３４に加え、光レベルモニタ（Ｍ１〜Ｍ８）を備える。光レベルモニタＭ１において分岐側方路選択スイッチ２１に入力される光パス信号の光強度を監視し、光レベルモニタＭ２において分岐側方路選択スイッチから出力される光パス信号の光強度を監視し、光レベルモニタＭ３において分岐側波長割当スイッチ３２に入力される光パス信号の光強度を監視し、光レベルモニタＭ４において分岐側波長割当スイッチ３２から出力される光パス信号の光強度を監視し、光レベルモニタＭ５において合流側方路選択スイッチ３３に入力される光パス信号の光強度を監視し、光レベルモニタＭ６において合流側方路選択スイッチ３３から出力される光パス信号の光強度を監視し、光レベルモニタＭ７において合流側波長割当スイッチ３４に入力される光パス信号の光強度を監視し、光レベルモニタＭ８において合流側波長割当スイッチ３４から出力される光パス信号の光強度を監視する。ただし、これらの光レベルモニタ（Ｍ１〜Ｍ８）は光サブシステム１１’を製造するために必要な光部品であるＯＣＭ（Ｏｐｔｉｃａｌ  Ｃｈａｎｎｅｌ  Ｍｏｎｉｔｏｒ）の物理的な接続位置を示すものではない。
【００４５】
図１１は光サブシステム１１’が備える分岐スイッチ２１が有する光部品と、その接続方法を例示している。ここで、ＯＣＭは、複数経路の光信号レベルを測定することが可能であり、測定対象をセレクタにより切替えて、それぞれの経路における光信号レベルを検出する形態を想定している。図１１ａ、ｂ、ｃは、図５ａ、ｂ、ｃに示した分岐スイッチ２１を構成する光部品の組合せ例に対して、それぞれＯＣＭを配置した例である。
【００４６】
図１２は光サブシステム１１’が備える合流スイッチ２２が有する光部品と、その接続方法を例示している。図１２ａ、ｂ、ｃは、図６ａ、ｂ、ｃに示した分岐スイッチ２２を構成する光部品の組合せ例に対して、それぞれＯＣＭを配置した例である。
【００４７】
図１３は、光サブシステム１１’の制御フローである。以下、方路ｍに関わる光パス信号の光信号レベルモニタ方法を、図１３に例示した制御フローに沿って詳細に説明する。
（１）ノード管理制御部１０からの光信号レベルモニタ要求を、ＩＦ機能部で受信する。
（２）ＩＦ機能部から論理制御機能部に対して、光信号レベルモニタを要求する。
（３）論理制御機能部は、ＩＦ機能部から受けた光信号レベルモニタ要求を解析し、該当するモニタ点の光レベル状態管理遷移と、該当するモニタ点を含む光信号パスの設定状態について実施形態１で説明した接続状態遷移を参照して、光信号レベルモニタの可否を判定する。なお、モニタ点における光レベル状態遷移の管理については後述する。光信号レベルモニタが不可能な場合、ＩＦ機能部に要求拒否を通知する。
（４）光信号レベルモニタが可能な場合は、光信号レベルモニタを分岐スイッチ２１および合流スイッチ２２の物理制御機能部に要求する。
（５）分岐スイッチ２１および合流スイッチ２２の物理制御機能部において、論理物理変換テーブルを参照して光信号レベルモニタ要求に物理構成変換を施す。なお、論理物理変換テーブルを参照して光信号レベルモニタ要求に物理構成変換を施す工程については後述する。光信号レベルモニタが不可能な場合は、論理制御機能部を経由してＩＦ機能部に要求拒否を通知する。
（６）該当モニタ点の光信号レベル測定値を要求する。
（７）該当モニタ点のＯＣＭドライバにおいて、該当モニタ点の光信号レベル測定値を読出し記録する。
（８）記録した光信号レベル測定値を分岐スイッチ２１および合流スイッチ２２の物理制御機能部にそれぞれ通知する。
（９）分岐スイッチ２１および合流スイッチ２２の物理制御機能部は、論理物理変換テーブルを参照して取得した光信号レベルモニタ測定値に物理構成変換を施す。
（１０）物理構成変換を施した光信号レベルモニタ値を論理制御部に通知する。
（１１）論理制御機能部は、光信号レベルモニタ値に基づき、分岐スイッチ２１、合流スイッチ２２に関係する光パスの光信号レベル状態について、それぞれの光レベル状態遷移図における光レベル状態を更新する。
（１２）論理制御機能部は、更新した光レベル状態に応じてＡＣＫもしくはアラートをＩＦ機能部に通知する。
（１３）ＩＦ機能部は、ノード制御管理部にＡＣＫもしくはアラートを通知する。
【００４８】
なお、図１３の制御フローにおいて、ＩＦ機能部からのモニタ要求（２）はＩＦ機能部から論理制御機能部に直接送られているが、この構成に限定されるものではない。例えば、実施形態１に示した光パス設定要求に基づき、設定系処理の論理制御機能部から光信号パスの光信号レベルモニタ要求を、本監視系処理の論理制御機能部に送る形態をとることも可能である。
【００４９】
次に、論理制御機能部において分岐スイッチ２１および合流スイッチ２２に関係する光パスにおける光信号レベルモニタ状態を管理するために必要となる、光レベル状態遷移について説明する。図１４は光サブシステム１１’が備える分岐スイッチ２１および合流スイッチ２２での光パスにおける光レベル状態遷移図である。
【００５０】
図１４ａは、ある波長λｎの光パス信号を他方路ｍ’に接続した場合の、光信号レベルモニタの光レベル状態遷移図を示している。光パスを他方路ｍ’に設定することを考えた場合、光信号レベルモニタ結果のとり得る状態は｛正常、異常、スタンバイ｝である。正常とは、検出した光信号レベルが、予め設定した閾値よりも大きい場合に対応する。異常とは、検出した光信号レベルが、予め設定した閾値よりも小さい場合に対応しており、光信号パスに関与する光部品の故障などの可能性があるため、ＩＦ機能部にアラートを通知する場合がある。スタンバイとは光信号レベルの検出を停止している状態である。ここで述べた検出停止とは、必ずしも、光部品であるＯＣＭが光信号レベルの測定を停止することを意味しているわけではない。例えば、ＯＣＭはノード管理制御部からの要求とは無関係に、常時光信号レベルの測定を実施して測定結果を記録装置に書き込む一方で、その書き込まれた光信号レベル値を物理制御機能部から論理制御機能部に通知しない状態もスタンバイ状態に該当する。光レベル状態遷移図には分岐スイッチ２１および合流スイッチ２２に関係する光パスにおける光信号レベルモニタ結果のとり得る状態がそれぞれ示されており、図中の矢印で接続された状態間でモニタ状態の遷移が可能であることを意味している。
【００５１】
図１４ｂは、ある波長λｎの光パス信号を自ノードの送受信機ｎに接続する場合の、光信号レベルモニタの光レベル状態遷移図を示している。光パスを自ノードの送受信機ｎに設定することを考えた場合、光信号レベルモニタ結果のとり得る状態は｛正常、異常、スタンバイ｝である。図中の矢印で接続された状態間でモニタ状態の遷移が可能であることを意味している。光サブシステム１１’における論理制御機能部では、光レベル状態遷移図に基づいてＩＦ機能部から受信した光信号レベルモニタ要求の可否を判定する。また、物理制御機能部において論理物理変換テーブルを参照して物理構成変換を施した光信号レベルモニタ値と、予め設定された閾値との関係に基づいて光レベル状態遷移を更新する。
【００５２】
次に、論理物理変換テーブルを参照して光信号レベルモニタ要求に物理構成変換を施す過程、および、論理物理変換テーブルを参照して取得した光信号レベルモニタ値に物理構成変換を施す過程について説明する。図１５は光サブシステム１１’の光信号レベルモニタにおける論理物理変換テーブルを示している。図１５ａは論理情報テーブルであり、ＸＣ状態で接続可能となる出力方路、ａｄｄ−ｄｒｏｐ状態で接続可能となる送受信機の送受信ポート番号がテーブルに記載されている。図１５ｂは図１１ａに示した光部品で構成される光レベルモニタの物理情報テーブルである。
【００５３】
例えば、論理制御部から、
“出力方路Ｍに接続された波長λｎの光パス信号について、光信号レベルをモニタする”
というモニタ要求を受信した場合、論理情報テーブルのＭ行目と物理情報テーブルのＭ行目を照合させ、
“モニタ点Ｍ１としてＯＣＭ＃１の値を読込む、モニタ点Ｍ２としてＯＣＭ＃２のセレクタＭ番の値を読込む”
というモニタ要求に変換して該当する光信号レベル測定結果を取得する。
【００５４】
また、例えば、論理制御機能部から、
“受信ポートｎに接続された波長λｎの光パス信号について、光信号レベルをモニタする”
というモニタ要求を受信した場合、論理情報テーブルの（Ｍ＋ｎ）行目と物理情報テーブルの（Ｍ＋ｎ）行目を照合させ、
“モニタ点Ｍ１としてＯＣＭ＃１の値を読込む、モニタ点Ｍ２としてＯＣＭ＃２のセレクタｍ番の値を読込む、モニタ点Ｍ３としてＯＣＭ＃２のセレクタｍ番の値を読込む、モニタ点Ｍ４としてＯＣＭ＃３のセレクタｎ番の値を読込む”
というモニタ要求に変換して該当する光信号レベル測定結果を取得する。
【００５５】
図１５ｃは図１１ｂに示した光部品で構成される光レベルモニタの物理情報テーブルである。図１５ｄは図１１ｃに示した光部品で構成される光レベルモニタの物理情報テーブルである。図１１ｃは、分岐側方路選択スイッチ３１を構成する光カプラが受動部品であり、出力ポートにＯＣＭを接続していない点で、図１１ｂと異なる。
【００５６】
例えば、論理制御部から、
“出力方路Ｍに接続された波長λｎの光パス信号について、光信号レベルをモニタする”
というモニタ要求を受信した場合、論理情報テーブルのＭ行目と物理情報テーブルのＭ行目を照合させ、
“モニタ点Ｍ１としてＯＣＭ＃１の値を読込む、モニタ点Ｍ２としてＯＣＭ＃１の値を読込み３．１ｄＢｍ引く”
というモニタ要求に変換して該当する光信号レベル測定結果を取得する。ここで、モニタ点２にはＯＣＭが接続されていないため、モニタ点１の値に光カプラ出力の分岐に伴う原理損失（例としてＭ＝２とする場合、約３ｄＢ）と、光カプラの過剰損失（例えば、０．１ｄＢとする）の和を考慮して、光カプラの入力ポートにおける光信号レベルから３．１ｄＢｍを減じた値をモニタ点Ｍ２の値とする点が図１６ｂと異なる。
【００５７】
例えば、論理制御機能部から、
“受信ポートｎに接続された波長λｎの光パス信号について、光信号レベルをモニタする”
というモニタ要求を受信した場合、論理情報テーブルの（Ｍ＋ｎ）行目と物理情報テーブルの（Ｍ＋ｎ）行目を照合させ、
“モニタ点Ｍ１としてＯＣＭ＃１の値を読込む、モニタ点Ｍ２としてＯＣＭ＃１の値を読込み３．１ｄＢｍ引く、モニタ点Ｍ３としてＯＣＭ＃１の値を読込み３．１ｄＢｍ引く、モニタ点Ｍ４としてＯＣＭ＃２のセレクタｎ番の値を読込む”
というモニタ要求に変換して該当する光信号レベル測定結果を取得する。図１６ｅ、ｆ、ｇは図１２ａ、ｂ、ｃに示した光部品で構成される光レベルモニタの物理情報テーブルである。
【００５８】
本制御方法の光サブシステム１１’を製造した場合の効果をまとめると次のようになる。例として、光サブシステム製造者が分岐スイッチ２１に関わる光レベルモニタとして図１１ａの光部品構成を採用し、合流スイッチ２２に関わる光レベルモニタとして図１２ａの光部品構成を採用して光サブシステム１１’を製造した場合を考える。例えば、別途、分岐スイッチ２１に関わる光レベルモニタとしてとして図１１ｂの光部品構成を採用し、合流スイッチ２２に関わる光レベルモニタとして図１２ｂの光部品構成を採用する必要が生じた場合、本制御方法の光サブシステム１１’であれば、物理制御機能部の論理物理変換テーブルを変更するのみで、光部品および光部品を駆動するドライバを置換することが可能となる。論理物理変換テーブルの変更は、例えば、光サブシステム１１’を制御する上位装置からのコマンドにより書き換えることが可能である。図１１および図１２に挙げた光部品構成に対応する光サブシステム１１’を製造する場合、本制御方法を利用することで光サブシステム製造に必要となるコスト及び時間を１／８に低減することが可能である。勿論、光部品の多様化に伴い光部品構成の組合せは増加するので、本発明の効果はそれにともない、より顕著に発現する。
【００５９】
（実施形態３）
［制御系処理：合流側方路選択スイッチにおけるＡＬＣ］
ＲＯＡＤＭノードを構成する光サブシステムにおける制御系処理として、光ノード内の合流側方路選択スイッチにおけるＡＬＣ（Ａｕｔｏ  Ｌｅｖｅｌ  Ｃｏｎｔｒｏｌ）機能を例に挙げ、本光サブシステムの適用方法および効果を説明する。本光サブシステムとＲＯＡＤＭノードの関係は、図３に示した実施形態１での説明と同じである。
【００６０】
図１６は出力方路ｍに接続する合流側方路選択スイッチ３３がＡＬＣ機能を備えた光サブシステム１１”の構成例を示す図である。光サブシステム１１”は、図４の分岐側方路選択スイッチ３１、分岐側波長割当スイッチ３２、合流側方路選択スイッチ３３および合流側波長割当スイッチ３４に加え、合流側方路選択スイッチ３４から出力される光パス信号の光強度を監視する光レベルモニタＭ６を備える。合流側方路選択スイッチ３３が備えるＡＬＣ機能とは、光サブシステム１１”から方路ｍに出力される光信号の強度を、予め設定した強度値に調整することを目的としている。具体的には、光レベルモニタＭ６において検出した光信号レベルと、あらかじめ設定した目標とする強度値を参照し、可変光減衰器（Ｖａｒｉａｂｌｅ  Ｏｐｔｉｃａｌ  Ａｔｔｅｎｕａｔｏｒ：ＶＯＡ）機能を備えた合流側方路選択スイッチ３３においてＦＢ（Ｆｅｅｄｂａｃｋ）制御を行う。
【００６１】
図１７は光サブシステム１１”の合流スイッチ２２および光レベルモニタＭ６に必要な光部品と、その接続方法を例示している。ここで、ＯＣＭは、複数波長の光信号レベルを個別に測定する形態を想定している。図１７ａ、ｂ、ｃは、図６ａ、ｂ、ｃに示した合流スイッチ２２を構成する光部品の組合せ例に対して、それぞれ、ＯＣＭとＶＯＡを配置した例である。
【００６２】
図１８に、光サブシステム１１”の制御フローを示す。以下、方路ｍに関わる光パス信号のＡＬＣ実施方法を、図１８に例示した制御フローに沿って詳細に説明する。
（１）ノード管理制御部１０からのＡＬＣ要求を、ＩＦ機能部で受信する。
（２）ＩＦ機能部から論理制御機能部に対して、ＡＬＣを要求する。
（３）論理制御機能部は、ＩＦ機能部から受けたＡＬＣ要求を解析し、該当するＡＬＣ機能のＡＬＣ状態遷移と、該当する光信号パスの設定状態について実施形態１で説明した接続状態遷移を参照し、さらに、該当する光信号レベルモニタ点のモニタ状態について実施形態２で説明した光レベル状態管理遷移を参照して、ＡＬＣの可否を判定する。なお、ＡＬＣ機能のＡＬＣ状態遷移の管理については後述する。ＡＬＣが不可能な場合、ＩＦ機能部に要求拒否を通知する。
（４）ＡＬＣが可能な場合には、ＡＬＣを合流スイッチの物理制御機能部に要求する。
（５）合流スイッチ２２の物理制御機能部において、論理物理変換テーブルを参照してＡＬＣ要求に物理構成変換を施す。
（６）物理制御機能部のＦＢ制御部にＡＬＣを要求する。
（７）ＦＢ制御部から、該当する光信号レベルモニタ点の光信号レベル測定値を要求する。
（８）該当モニタ点のＯＣＭドライバは、光レベルモニタＭ６を駆動し、該当モニタ点の光信号レベル測定値を読出し、記録する。
（９）記録した光信号レベル測定値を、前記ＦＢ制御部に通知する。
（１０）ＦＢ制御部において、予め設定されたＡＬＣ目標値と光信号レベルモニタ値に基づき、ＶＯＡ機能に要求する減衰量設定を決定する。
（１１）ＶＯＡ機能に減衰量設定値を通知する。
（１２）ＶＯＡ機能のドライバは、減衰量設定値に基づきＶＯＡを駆動する。
（１３）ＦＢ制御部から論理制御機能部に、ＦＢ制御状態に応じてＡＣＫもしくはアラートを通知する。
（１４）論理制御機能部において、ＡＣＫもしくはアラートに応じて、ＡＬＣ機能のＡＬＣ状態遷移図における状態遷移を更新する。
（１５）論理制御機能部から、更新したＡＬＣ状態遷移に応じてＡＣＫもしくはアラートをＩＦ機能部に通知する。
（１６）ＩＦ機能部からノード制御管理部にＡＣＫもしくはアラートを通知する。
【００６３】
ＦＢ制御は、予め設定した目標値と光信号レベル測定値の差分に許容量を設定し、目標値と光信号レベル測定値の差分が設定した許容量以内となるまで、（９）〜（１１）のフローを反復する。
【００６４】
なお、図１８の本制御フローにおいて、ＩＦ機能部からのＡＬＣ要求（２）はＩＦ機能部から論理制御機能部に直接送られているが、本実施形態に限定されるものではない。例えば、実施形態１に示した光パス設定要求に基づき、設定系処理の論理制御機能部から光信号パスのＡＬＣ要求を、本論理制御機能部に送る形態をとることも可能である。
【００６５】
図２１は本制御フローの他の例を示す図である。ＦＢ制御部が論理制御機能部に配置される点で、図１８に示した制御フローと異なる。図２１に示す制御フローでは、フロー（９）で表される光信号レベル値をＦＢ制御部に通知する工程で、（１７）に示す物理構成変換が施される。つまり、ＦＢ制御部は光信号レベルを測定する光部品を認識することなく、光サブシステム構成上の光レベルモニタＭ６の光信号レベルを取得する。また、フロー（１１）で表されるＦＢ制御部から光減衰量設定値を通知する工程で、（１７）に示す物理構成変換が施される。つまり、ＦＢ制御部はＶＯＡ機能を発現する光部品を認識することなく、光サブシステム構成上のＶＯＡ機能に光減衰量設定値を通知する。図２１に示す制御フローを採用した場合であっても、図１８で説明した効果と同等の効果を得ることができる。
【００６６】
次に、論理制御機能部において合流スイッチ２２に関係する光パスにおけるＡＬＣ状態を管理するために必要となるＡＬＣ状態遷移について説明する。図１９は光サブシステム１１”におけるＡＬＣ状態遷移図である。
【００６７】
図１９ａは、ある波長λｎの光パス信号を他方路ｍ’に接続した場合の、ＡＬＣ状態遷移図を示している。光パスを他方路ｍ’に設定することを考えた場合、ＡＬＣのとり得る状態は｛ＡＬＣモード、シャットダウン、ＯＦＦ｝である。ＡＬＣモードとは、図１８に示した制御フロー（９）〜（１１）の状態に対応する。シャットダウンとは、図１８に示した制御フロー（９）で取得する光信号レベルモニタ値とは無関係に、予め設定した一定の減衰量に基づきＶＯＡを駆動する状態である。ＯＦＦとは、ＶＯＡを駆動しない状態である。ＡＬＣ状態遷移図にはＡＬＣのとり得る状態が示されており、図中の矢印で接続された状態間でＡＬＣ状態の遷移が可能であることを意味している。
【００６８】
図１９ｂは、ある波長λｎの光パス信号を自ノードの送受信機ｎに接続する場合の、ＡＬＣ状態遷移図を示している。光パスを自ノードの送受信機ｎに設定することを考えた場合、ＡＬＣのとり得る状態は｛ＡＬＣモード、シャットダウン、ＯＦＦ｝である。図中の矢印で接続された状態間でＡＬＣ状態の遷移が可能であることを意味している。実施例３に係る光サブシステムにおける論理制御機能部では、ＡＬＣ状態遷移図に基づいてＩＦ機能部から受信したＡＬＣ要求の可否を判定する。また、ＦＢ制御部からの通知に基づいてＡＬＣ状態遷移を更新する。
【００６９】
次に、論理物理変換テーブルを参照してＡＬＣ要求に物理構成変換を施す工程について説明する。図２０は光サブシステム１１”のＡＬＣ機能における論理物理変換テーブルを示している。図２０ａは論理情報テーブルであり、ＸＣ状態で接続可能となる出力方路、Ａｄｄ−Ｄｒｏｐ状態で接続可能となる送受信機の送受信ポート番号がテーブルに記載されている。図２０ｂは図１７ａに示した光部品で構成されるＶＯＡおよび光信号レベルモニタ点の物理情報テーブルである。ここで、ＶＯＡ機能はＷＳＳの入出力経路接続機構に組み込まれている形態を想定している。例えば、ＭＥＭＳ（Ｍｉｃｒｏ  Ｅｌｅｃｔｒｏ  Ｍｅｃｈａｎｉｃａｌ  Ｓｙｓｔｅｍｓ）技術を利用したＷＳＳにおいては、入射光を反射するミラーの角度を制御することで、入出力経路接続機能とＶＯＡ機能を同時に発現することが公知である。
【００７０】
例えば、論理制御部から、
“出力方路Ｍに接続された波長λｎの光パス信号について、ＡＬＣを実施する”
というＡＬＣ要求を受信した場合、論理情報テーブルのＭ行目と物理情報テーブルのＭ行目を照合させ、
“ＶＯＡ機能としてＷＳＳ＃１の入力ポート＃Ｍを駆動し、モニタ点としてＯＣＭ＃１の値を読込む”
というＡＬＣ要求に変換して該当するＦＢ制御部に要求する。また、例えば、論理制御機能部から、
“受信ポートｎに接続された波長λｎの光パス信号について、ＡＬＣを実施する”
というＡＬＣ要求を受信した場合、
“ＶＯＡ機能としてＷＳＳ＃１の入力ポート＃ｍを駆動し、モニタ点としてＯＣＭ＃１の値を読込む”
というＡＬＣ要求に変換して該当するＦＢ制御部に要求する。
【００７１】
図２０ｃは図１７ｂに示した光部品で構成されるＶＯＡおよび光信号レベルモニタ点の物理情報テーブルである。図２０ｄは図１７ｃに示した光部品で構成されるＶＯＡおよび光信号レベルモニタ点の物理情報テーブルである。図１７ｄは、合流側方路選択スイッチが受動部品である光カプラで構成されており、ＶＯＡ機能とスイッチ機能を同時に備えるＷＳＳとは異なり、別途、光カプラの入力ポートにＶＯＡを接続している点で、図１７ａと異なる。ここで、ＶＯＡは入力ポート１本と出力ポート１本を備えた形態と想定している。
【００７２】
例えば、論理制御部から、
“出力方路Ｍに接続された波長λｎの光パス信号について、ＡＬＣを実施する”
というＡＬＣ要求を受信した場合、論理情報テーブルのＭ行目と物理情報テーブルのＭ行目を照合させ、
“ＶＯＡ機能としてＶＯＡ＃Ｍを駆動し、モニタ点としてＯＣＭ＃１の値を読込む”
というＡＬＣ要求に変換して該当するＦＢ制御部に要求する。また、例えば、論理制御機能部から、
“受信ポートｎに接続された波長λｎの光パス信号について、ＡＬＣを実施する”
というＡＬＣ要求を受信した場合、
“ＶＯＡ機能としてＶＯＡ＃ｍを駆動し、モニタ点としてＯＣＭ＃１の値を読込む”
というＡＬＣ要求に変換して該当するＦＢ制御部に要求する。
【００７３】
本制御方法の光サブシステム１１”を製造した場合の効果をまとめると次のようになる。例として、光サブシステム製造者がＡＬＣに関わるＶＯＡおよび光信号レベルモニタ点として図１７ａの光部品構成を採用して光サブシステム１１”を製造した場合を考える。例えば、別途、ＡＬＣに関わるＶＯＡおよび光信号レベルモニタ点として図１７ｂの光部品構成を採用する必要が生じた場合、本制御方法の光サブシステム１１”であれば、物理制御機能部の論理物理変換テーブルを変更するのみで、光部品および光部品を駆動するドライバを置換することが可能となる。論理物理変換テーブルの変更は、例えば、光サブシステム１１”を制御する上位装置からのコマンドにより書き換えることが可能である。図１７に挙げた光部品構成に対応する光サブシステム１１”を製造する場合、本制御方法を利用することで光サブシステム製造に必要となるコスト・時間を１／３に低減することが可能である。勿論、光部品の多様化に伴い光部品構成の組合せは増加するので、本発明の効果はそれにともない、より顕著に発現する。
【００７４】
図２２は実施形態１、２、３でそれぞれ説明した、設定系処理、監視系処理、制御系処理の制御フローを同一光サブシステム内で同時に実施した場合における、各機能部間の情報交換経路を示す図である。
【００７５】
（実施形態４）
［運用形態変更］
ＲＯＡＤＭノードを構成する光サブシステムの運用形態を変更する場合について説明する。ここで、運用形態の変更とは、接続する方路数もしくはＡｄｄ／Ｄｒｏｐ状態で接続する送受信機数を変更することを意味している。具体的には、２−ｄｅｇｒｅｅ  ＲＯＡＤＭノードを構成する光サブシステムを、８−ｄｅｇｒｅｅ  ＲＯＡＤＭノード用の光サブシステムとして運用する場合を例として考える。なお、本実施形態では、運用形態の変更を実現するために、光サブシステムを構成する光部品を変更する方法ではなく、論理物理変換テーブルを変更する方法について説明する。つまり、本実施形態では、光部品を変更することなく、物理制御機能部における論理物理変換テーブルを変換するのみで、光サブシステムの運用形態変更が可能であることを説明する。
【００７６】
図２３は本実施形態の光サブシステムを構成する光部品を示している。図２３（ａ）は分岐スイッチ２１に対応しており、分岐側方路選択スイッチ３１として１×４３ＷＳＳを採用し、分岐側波長割当スイッチ３２として前記１×４３ＷＳＳを採用している。１つのＷＳＳにおいて、他方路へ接続する出力ポートと、自ノードの受信機へ接続する出力ポートの両方を備えている。図２３（ｂ）は合流スイッチ２２に対応しており、合流側方路選択スイッチ３３として４３×１ＷＳＳを採用し、合流側波長割当スイッチ３４として前記４３×１ＷＳＳを採用している。１つのＷＳＳにおいて、他方路と接続する入力ポートと、自ノードの送信機へ接続する入力ポートの両方を備えている。なお、本実施形態では分岐スイッチ２１および合流スイッチ２２を構成する光部品として１×４３ＷＳＳを例として説明するが、その効果は１×４３ＷＳＳに限定されるものではなく、１×９ＷＳＳなどの他の光部品においても同様の効果が発現する。
【００７７】
方路数を２から８に変更する運用形態変更を実現する方法について、実施形態１で説明した光パス設定要求に物理構成変換を施す工程（図７に示す制御工程（５））を説明する。なお、図７に示す制御工程（５）以外の制御工程については、運用形態変更に伴う変更はない。図２４は光パス設定要求に物理構成変換を施す工程における論理物理変換テーブルを示している。
【００７８】
はじめに、分岐スイッチ２１について説明する。図２４（ａ）は方路数を２とした運用形態における論理情報テーブルである。図２４（ｃ）は図２３（ａ）に示した光部品で構成される分岐スイッチ２１の物理情報テーブルである。図２４（ａ）に示す論理情報テーブルと図２４（ｃ）に示す物理情報テーブルの組み合わせで構成される論理物理変換テーブルを利用することで、方路数２、最大送受信ポート数４２の光サブシステムとして運用することが可能となる。一方、図２４（ｂ）は方路数を８とした運用形態における論理情報テーブルである。図２４（ｂ）に示す論理情報テーブルと図２４（ｃ）に示す物理情報テーブルの組み合わせで構成される論理物理変換テーブルを利用することで、方路数８、最大送受信ポート数３６の光サブシステムとして運用することが可能となる。つまり、本実施形態の運用形態変更は、論理情報テーブルの変更のみで可能であり、光部品の変更、光パス設定要求に物理構成変換を施す工程における論理物理変換テーブル以外の制御工程の変更を必要としない。
【００７９】
次に、合流スイッチ２２について説明する。図２４（ｄ）は方路数を２とした運用形態における論理情報テーブルである。図２４（ｆ）は図２３（ｂ）に示した光部品で構成される合流スイッチ２２の物理情報テーブルである。図２４（ｄ）に示す論理情報テーブルと図２４（ｆ）に示す物理情報テーブルの組み合わせで構成される論理物理変換テーブルを利用することで、方路数２、最大送受信ポート数４２の光サブシステムとして運用することが可能となる。一方、図２４（ｅ）は方路数を８とした運用形態における論理情報テーブルである。図２４（ｅ）に示す論理情報テーブルと図２４（ｆ）に示す物理情報テーブルの組み合わせで構成される論理物理変換テーブルを利用することで、方路数８、最大送受信ポート数３６の光サブシステムとして運用することが可能となる。つまり、本実施形態の運用形態変更は、論理情報テーブルの変更のみで可能であり、光部品の変更、光パス設定要求に物理構成変換を施す工程における論理物理変換テーブル以外の制御工程の変更を必要としない。
【００８０】
方路数を２から８に変更する運用形態変更を実現する方法について、実施形態２で説明した光信号レベルモニタ要求に物理構成変換を施す工程（図１３に示す制御工程（５））を説明する。なお、図１３に示す制御工程（５）以外の制御工程については、運用形態変更に伴う変更はない。図２５は光信号モニタ要求に物理構成変換を施す工程における論理物理変換テーブルを構成する論理情報テーブルを示している。図２６は光信号モニタ要求に物理構成変換を施す工程における論理物理変換テーブルを構成する物理情報テーブルを示している。
【００８１】
はじめに、分岐スイッチ２１について説明する。図２５（ａ）は方路数を２とした運用形態における論理情報テーブルである。図２６（ａ）は図２３（ａ）に示した光部品で構成される分岐スイッチ２１の物理情報テーブルである。図２５（ａ）に示す論理情報テーブルと図２６（ａ）に示す物理情報テーブルの組み合わせで構成される論理物理変換テーブルを利用することで、方路数２、最大送受信ポート数４２の光サブシステムとして運用することが可能となる。一方、図２５（ｂ）は方路数を８とした運用形態における論理情報テーブルである。図２５（ｂ）に示す論理情報テーブルと図２６（ｂ）に示す物理情報テーブルの組み合わせで構成される論理物理変換テーブルを利用することで、方路数８、最大送受信ポート数３６の光サブシステムとして運用することが可能となる。つまり、本実施形態の運用形態変更は、論理情報テーブルおよび物理情報テーブルの変更のみで可能であり、光部品の変更、光パス設定要求に物理構成変換を施す工程における論理物理変換テーブル以外の制御工程の変更を必要としない。
【００８２】
次に、合流スイッチ２２について説明する。図２５（ｃ）は方路数を２とした運用形態における論理情報テーブルである。図２６（ｃ）は図２３（ｂ）に示した光部品で構成される合流スイッチ２２の物理情報テーブルである。図２５（ｃ）に示す論理情報テーブルと図２６（ｃ）に示す物理情報テーブルの組み合わせで構成される論理物理変換テーブルを利用することで、方路数２、最大送受信ポート数４２の光サブシステムとして運用することが可能となる。一方、図２５（ｄ）は方路数を８とした運用形態における論理情報テーブルである。図２５（ｄ）に示す論理情報テーブルと図２６（ｄ）に示す物理情報テーブルの組み合わせで構成される論理物理変換テーブルを利用することで、方路数８、最大送受信ポート数３６の光サブシステムとして運用することが可能となる。つまり、本実施例の運用形態変更は、論理情報テーブルおよび物理情報テーブルの変更のみで可能であり、光部品の変更、光パス設定要求に物理構成変換を施す工程における論理物理変換テーブル以外の制御工程の変更を必要としない。
【００８３】
本実施形態の光サブシステムの効果をまとめると、次のようになる。例として、光サブシステム製造者が分岐スイッチとして図２３ａの光部品構成を採用し、合流スイッチとして図２３ｂの光部品構成を採用して光サブシステムを製造した場合を考える。例えば、方路数の異なる光サブシステムを製造する必要がある場合、本制御方法に基づく光サブシステムであれば、物理制御機能部の論理物理変換テーブルを変更するのみで、光部品および光部品を駆動するドライバや、論理物理変換テーブルに係る制御工程以外の制御工程および制御フローを変更する必要が生じない。論理物理変換テーブルの変更は、例えば、光サブシステムを制御する上位装置からのコマンドにより書き換えることが可能である。本発明の制御方法を利用することで、多様な方路数に１つの光サブシステムで対応することが可能となり、光サブシステム製造に必要となるコスト・時間を低減することが可能である。
【符号の説明】
【００８４】
１０：ノード管理制御部
１１、１１’、１１”：光サブシステム
２１：分岐スイッチ
２２：合流スイッチ
３１：分岐側方路選択スイッチ
３２：分岐側波長割当スイッチ
３３：合流側方路選択スイッチ
３４：合流側波長割当スイッチ
４１：受信機
４２：送信機
３０１〜３０３：光サブシステム
４０１：光ノード
Ｍ１〜Ｍ８：光レベルモニタ
【図１】
0005504183.tif 000002
【図２】
0005504183.tif 000003
【図３】
0005504183.tif 000004
【図４】
0005504183.tif 000005
【図５】
0005504183.tif 000006
【図６】
0005504183.tif 000007
【図７】
0005504183.tif 000008
【図８】
0005504183.tif 000009
【図９】
0005504183.tif 000010
【図１０】
0005504183.tif 000011
【図１１】
0005504183.tif 000012
【図１２】
0005504183.tif 000013
【図１３】
0005504183.tif 000014
【図１４】
0005504183.tif 000015
【図１５】
0005504183.tif 000016
【図１６】
0005504183.tif 000017
【図１７】
0005504183.tif 000018
【図１８】
0005504183.tif 000019
【図１９】
0005504183.tif 000020
【図２０】
0005504183.tif 000021
【図２１】
0005504183.tif 000022
【図２２】
0005504183.tif 000023
【図２３】
0005504183.tif 000024
【図２４】
0005504183.tif 000025
【図２５】
0005504183.tif 000026
【図２６】
0005504183.tif 000027